(57)【要約】【課題】同一のものであっても、ネバネバしたご飯がくっつきにくく、麺類のような長くて柔らかいものであっても十分つまんで持ち上げることができて滑り落ちず、しかも、豆腐のような半固形物についても崩れないようにして食することができ、さらには、手が不自由な人であっても使用し易い箸を提供すること。【解決手段】つまみ部分１２に、複数の螺旋溝１４及び突起１５を形成したこと。【選択図】図４
0003180388.tif 000002
【実用新案登録請求の範囲】
【請求項１】
合成樹脂によって形成されて、先端部分１１と、次のつまみ部分１２と、残りの持ち手部分１３とからなる箸１０であって、
少なくとも上記つまみ部分１２に、複数の螺旋溝１４及び突起１５を形成したことを特徴とする箸１０。
【請求項２】
各突起１５を、当該箸１０の軸線方向に列として配置したことを特徴とする請求項１に記載の箸１０。
【考案の詳細な説明】
【技術分野】
【０００１】
本考案は、箸に関し、特に、合成樹脂によって一体的に形成される箸に関するものである。
【背景技術】
【０００２】
食事の際に使用される箸は、古来より種々なものが提案され使用されてきているものであるが、この箸を使って食する食べ物も種々なものがある。
【０００３】
ご飯はネバネバして箸にくっつき易いし、麺類のような長くて柔らかいものは、つまんで持ち上げると箸から滑り落ち易い。また、豆腐のような固形物については、できるだけ形を小さくしながら、しかも崩れないようにして食したい。さらには、手が不自由は人もいるから、その人も使用しやすい箸が必要である。
【０００４】
以上のような要望に応えるためには、その食べ物や状況にあった箸を用意すればことは済むのであるが、食事ごとに箸を変えていては、非常に面倒である。そこで、特許文献１にて提案されているような箸が出現してきたのである。
【先行技術文献】
【特許文献】
【０００５】
【特許文献１】特開２０１１−２４５２３９号公報、要約、図３
【考案の概要】
【考案が解決しようとする課題】
【０００６】
特許文献１にて提案されている「プラスチック製の箸」は、「食べ物を確実につかめるようにした形状のつまみ部をもつ箸であり、繰り返しの使用や洗浄による摩擦で箸が摩耗劣化する弊害を防止でき、しかも、箸のつまみ部に食べ物滓が付着しにくい、箸洗いの容易なプラスチック製の箸を提供する」を目的としてなされたものである。
【０００７】
この特許文献１にて提案されている「プラスチック製の箸」は、図６に示すように、「プラスチック製の箸の食べ物つまみ部２の長手方向の範囲に複数の角部残存多角形部分６と倍角多角形部分９を交互に形成し、この倍角多角形部分９を角部切除面部７と該角部切除面部７間の周方向に残存する残存面部８によって前記角部残存多角形部分６の多角形に比べて倍の角数及び倍の面部数の多角形に形成し、前記角部残存多角形部分６の各角部を長手方向に隣り合う前記倍角多角形部分９の前記角部切除面部７より半径方向の外方向に突出する突起部５として形成し、この突起部５の突起頂部から長手方向に隣り合う前記角部切除面部７に至る面を緩やかな傾斜面１０とした」ものであり、これにより、上記目的が達成できるものと思われる。
【０００８】
しかしながら、この特許文献１の「プラスチック製の箸」は、「箸の食べ物つまみ部２」という非常に狭い範囲に、「その長手方向の範囲に複数の角部残存多角形部分６と倍角多角形部分９を交互に形成し、この倍角多角形部分９を角部切除面部７と該角部切除面部７間の周方向に残存する残存面部８によって前記角部残存多角形部分６の多角形に比べて倍の角数及び倍の面部数の多角形に形成し、前記角部残存多角形部分６の各角部を長手方向に隣り合う前記倍角多角形部分９の前記角部切除面部７より半径方向の外方向に突出する突起部５として形成し」なければならないものであり、果たして、「箸のつまみ部に食べ物滓が付着しにくい、箸洗いの容易な」箸となるかは疑問が残る。
【０００９】
それだけでなく、この特許文献１の「プラスチック製の箸」は、図６に示すように、「食べ物つまみ部２」が比較的平坦になっているから、この「食べ物つまみ部２」で麺類をつまんで持ち上げた際に、麺類が滑り落ちてしまうのではないかと、思われる。
【００１０】
そこで、本考案者等は、ネバネバしたご飯がくっつきにくく、麺類のような長くて柔らかいものであっても、十分つまんで持ち上げることができて滑り落ちず、しかも、豆腐のような半固形物についても、崩れないようにして食することができ、さらには、手が不自由な人であっても、使用しやすい箸とするにはどうしたらよいか、について種々検討を重ねてきた結果、本考案を完成したのである。
【００１１】
すなわち、本考案の目的とするところは、同一のものであっても、ネバネバしたご飯がくっつきにくく、麺類のような長くて柔らかいものであっても十分つまんで持ち上げることができて滑り落ちず、しかも、豆腐のような半固形物についても崩れないようにして食することができ、さらには、手が不自由な人であっても使用しやすい箸を提供することにある。
【課題を解決するための手段】
【００１２】
以上の課題を解決するために、まず、請求項１に係る考案の採った手段は、後述する最良形態の説明中で使用する符号を付して説明すると、
「合成樹脂によって形成されて、先端部分１１と、次のつまみ部分１２と、残りの持ち手部分１３とからなる箸１０であって、
少なくとも上記つまみ部分１２に、複数の螺旋溝１４及び突起１５を形成したことを特徴とする箸１０」
である。
【００１３】
すなわち、この請求項１に係る箸１０は、まず、つまみ部分１２に複数の螺旋溝１４が形成してあるから、これらの螺旋溝１４によって形成されている凹凸が、挟んだ食べ物の滑りを防止することになる。また、ご飯のようなネバネバしたものをつまんだ場合であっても、そのネバネバが、各螺旋溝１４によって当該つまみ部分１２部分全周に付着することが防止されるから、ご飯を口中にすんなりと入れることができ、当該箸１０を滑らかに口中から引き出すことができる。しかも、ネバネバがつまみ部分１２全周に付着しないのであるから、当該箸１０の洗浄も簡単に行えるのである。
【００１４】
また、当該箸１０によって麺類のような長くて柔らかいものをつまんで持ち上げようとする場合にも、麺類が各螺旋溝１４に引っ掛かることになるから、当該箸１０から麺類が滑り落ちることはないのである。また、麺類の箸１０にてつままれた部分は、各螺旋溝１４内に収まることになるから、箸１０がつまんだ麺類を切断することもない。
【００１５】
さらに、例えば、口中に入れられる程度にした豆腐のような崩れ易いものや、芋の煮物のような滑り易いものに対して、当該箸１０を差し込んで持ち上げるとき、つまみ部分１２に形成した複数の螺旋溝１４が滑り止めの役目を果たすことによって、豆腐や芋は全く箸１０から滑り落ちない。勿論、図１にも示すように、つまみ部分１２に形成した各螺旋溝１４はそれ程大きな突起物である訳ではなく、またつまみ部分１２の先には螺旋溝１４のない先端部分１１があるから、当該箸１０の、芋や豆腐への先端部分１１からの差込は、容易に行えるのである。
【００１６】
以上の各作用は、特に手の不自由な人や、老人や幼児のような手指の力が弱い人にとっては非常に有効であり、食事を楽しくするものである。
【００１７】
そして、この請求項１に係る箸１０では、図４及び図５に示すように、つまみ部分１２に突起１５が形成してあるから、この突起１５によって上記の各作用をさらに促進させるのである。
【００１８】
つまり、各突起１５は、当該箸１０へのネバネバの付着を阻止することになるのであり、螺旋溝１４内に挟まれた麺類へのさらなるストッパとなるのである。勿論、当該箸１０を差し込んだ豆腐のような半固形物に対しても、各突起１５はさらなるストッパとなるのであり、半固形物の取り上げを容易に行えるようにするものとなっているのである。
【００１９】
従って、この請求項１に係る箸１０は、同一のものであっても、ネバネバしたご飯がくっつきにくく、麺類のような長くて柔らかいものであっても十分つまんで持ち上げることができて滑り落ちず、しかも、豆腐のような半固形物についても崩れないようにして食することができ、さらには、手が不自由な人であっても使用し易いものとなっているのである。
【００２０】
上記課題を解決するために、請求項２に係る考案の採った手段は、上記請求項１に記載の箸１０について、
「各突起１５を、当該箸１０の軸線方向に列として配置したこと」
である。
【００２１】
すなわち、この請求項２に係る箸１０は、つまみ部分１２に形成した各突起１５を、当該箸１０の軸線方向に列として配置したものであり、これにより、当該箸１０を口中から引き出す際に、各突起１５が違和感を発生させないようにしたものである。
【００２２】
つまり、各突起１５が当該箸１０の軸線方向に列として配置してあるから、各突起１５は、当該箸１０を口中から引き出す際の方向と一致した列となっているのである。もし、これらの突起１５がつまみ部分１２の全周に形成してあると、箸１０を口中から引き出す際に、各突起１５が唇等にザラザラ感を与えることになるが、各突起１５は当該箸１０の軸線方向に列としてあるから、唇等にザラザラ感を与えることはないのである。
【００２３】
従って、この請求項２に係る箸１０は、上記請求項１のそれと同様な機能を発揮する他、各突起１５が唇等にザラザラ感を与えることがないものとなっているのである。
【考案の効果】
【００２４】
以上、説明したとおり、本考案においては、
「合成樹脂によって形成されて、先端部分１１と、次のつまみ部分１２と、残りの持ち手部分１３とからなる箸１０であって、
少なくとも上記つまみ部分１２に、複数の螺旋溝１４及び突起１５を形成したこと」
に構成上の主たる特徴があり、これにより、同一のものであっても、ネバネバしたご飯がくっつきにくく、麺類のような長くて柔らかいものであっても十分つまんで持ち上げることができて滑り落ちず、しかも、豆腐のような半固形物についても崩れないようにして食することができ、さらには、手が不自由な人であっても使用し易い箸１０を提供することができるのである。
【００２５】
換言すれば、本考案に係る箸１０の一膳だけで、つまり他の形態の箸を用意しなくても、ご飯のようなネバネバしたものでも、麺類のような滑り易く切れ易いものであっても、豆腐のような半固形物であっても、食品の形態や種類を問わず、容易に食することができるのであり、しかも、本考案に係る箸１０は洗浄も簡単に行えるのである。
【図面の簡単な説明】
【００２６】
【図１】本考案に係る箸１０の拡大平面図である。
【図２】同箸１０を示すもので、（ａ）は平面図、（ｂ）は底面図、（ｃ）は右側面図、（ｄ）は左側面図、（ｅ）は正面図、（ｆ）は背面図である。
【図３】図２の（ａ）中の１−１線に沿って見た断面図である。
【図４】図２の（ａ）中の２−２線部の部分拡大平面図である。
【図５】図４に示した部分の縦断面図である。
【図６】特許文献１に示された箸を示すもので、（イ）は平面図、（ロ）は先端部の部分拡大平面図、（ハ）は（ロ）の側面図である。
【考案を実施するための形態】
【００２７】
次に、上記のように構成した各請求項に係る考案を、図面に示した実施の形態に係る箸１０について説明すると、図１には１本の箸１０が示してある。勿論、この箸１０は、これを一膳、つまり２本を一組として使用されるものであることは、言うまでもない。
【００２８】
この箸１０は、上述した特許文献１のそれと同様に、合成樹脂を材料として一体成形したものである。また、この箸１０は、図１に示したように、先端部分１１と、次のつまみ部分１２と、残りの持ち手部分１３とからなるものであり、先端部分１１に向けて順に、かつなだらかに「先細状態」としたものである。さらに、この箸１０の先端部分１１及び持ち手部分１３は、図２の（ｅ）及び（ｆ）に示したように、「正八角形」にしたものであり、先端部分１１での「摘み操作」が容易となるようにしたものである。
【００２９】
この箸１０においては、図１、図２の（ａ）〜（ｄ）、及び図４に示したように、つまみ部分１２全周に、複数の螺旋溝１４が形成してある。この螺旋溝１４は、つまみ部分１２の各稜線から出発するものとして、例えば箸１０の全長が２１０ｍｍである場合に、長さ３５ｍｍのつまみ部分１２中で１回〜３回程度回転するものとしてある。さらに、各螺旋溝１４の、各先端部分１１及び持ち手部分１３に対する端部は、各先端部分１１及び持ち手部分１３の稜線に向けて順次浅くなるようにしてある。これにより、当該箸１０のつまみ部分１２を口中に入れた場合、舌や唇に違和感を与えないようにしている。なお、この螺旋溝１４は、先端部分１１にも形成して実施してもよい。
【００３０】
つまみ部分１２には、図４及び図５に示したように、突起１５も形成してある。各突起１５は、つまみ部分１２の表面から僅かに（１ｍｍ以内）突出するものであり、当該箸１０のつまみ部分１２を口中に入れた場合、舌や唇に違和感を与えないようにしている。
【００３１】
また、これらの突起１５は、当該箸１０の軸線方向に列として配置してある。本実施形態では、各突起１５が形成する列は２列であり、各列は、当該箸１０を成形する上下型の型開き面に該当する部分に形成される。そうすることによって、小さな突起１５を形成し易くするのである。なお、本実施形態の突起１５は、各螺旋溝１４の間、つまり螺旋溝１４の「山」となる部分に形成してあるが、これに限らず、各螺旋溝１４内、つまり「谷」の部分に形成して実施してもよいものである。
【符号の説明】
【００３２】
１０    箸
１１    先端部分
１２    つまみ部分
１３    持ち手部分
１４    螺旋溝
１５    突起
【図１】
0003180388.tif 000003
【図２】
0003180388.tif 000004
【図３】
0003180388.tif 000005
【図４】
0003180388.tif 000006
【図５】
0003180388.tif 000007
【図６】
0003180388.tif 000008